(57)【要約】【課題】  扉を自由に着脱することができて扉の手入れが簡単で常に清潔さを保つことができるオーブントースタを提供する。【解決手段】  扉８の左右の各端部には、各アーム２７の扉側の前端部に形成された掛止孔２８に着脱可能に掛止されるフック部１７が、また扉８の開閉中心側の下端部にはヒンジ片１８がそれぞれ設けられ、このヒンジ片１８には係止部１８ａが形成される一方、本体部１の開口部７に近接した位置には本体パネル２の左右の対向部間にわたって扉開閉軸３２が回動自在かつ軸方向に摺動可能に架設され、この扉開閉軸３２にはヒンジ片１８の係止部１８ａに着脱される差込金具３３が一体的に固定されている。【選択図】  図４
2008267659.tif 000002
【特許請求の範囲】
【請求項１】
オーブン庫内にヒータが配置された本体部には、その前面側に前記オーブン庫に対する調理物の出入用の開口部を開閉する扉が開閉自在に取り付けられるとともに、この扉の取付位置の下部に操作パネルが設けられ、また、前記オーブン庫内には焼網が配置され、この焼網は前記オーブン庫を構成する本体パネルの左右の対向部にそれぞれ形成されたガイド用長孔に沿って摺動可能に設けられ、この焼網と前記扉とが左右一対のアームを介して連結されているオーブントースタにおいて、
前記扉の左右の各端部には、前記各アームの扉側の前端部に形成された掛止孔に着脱可能に掛止されるフック部が設けられ、また、前記扉の開閉中心側の下端部にヒンジ片が設けられ、このヒンジ片に係止部が形成される一方、前記本体部の開口部に近接した位置には前記本体パネルの左右の対向部間にわたって扉開閉軸が回動自在かつ軸方向に摺動可能に架設され、この扉開閉軸には前記ヒンジ片の係止部に着脱される差込金具が固定されていることを特徴とするオーブントースタ。
【請求項２】
前記ヒンジ片は、前記扉を構成する前板と後板とを一体的に接合して構成されていることを特徴とする請求項１記載のオーブントースタ。
【請求項３】
前記差込金具を前記ヒンジ片の係止部へ差込む方向に付勢するバネを有し、また、前記扉開閉軸には操作レバーが固定される一方、前記扉開閉軸に並行して前記本体パネルの左右の対向部間にわたって横渡板が架設され、この横渡板には前記操作レバーを係止して前記バネの付勢力に抗して前記差込金具を前記ヒンジ片の係止部から離脱した状態に保持する係止部が形成されていることを特徴とする請求項１または請求項２に記載のオーブントースタ。
【請求項４】
前記各アームの前方側の端部は、前記本体パネルの左右の各対向部の前面に形成された挿通孔に挿通されるとともに、前記掛止孔の形成箇所よりも前方側の箇所には、前記挿通孔の周辺で堰止められる堰止部が形成されていることを特徴とする請求項１ないし請求項３のいずれか１項に記載のオーブントースタ。
【発明の詳細な説明】
【技術分野】
【０００１】
本発明は、オーブントースタに係り、特には扉の着脱構造に関する。
【背景技術】
【０００２】
従来のオーブントースタにおいては、本体部内部のオーブン庫への調理物の出し入れをし易くするために、本体部の前面側の開口部に設けられた扉とオーブン庫内に配置された調理物載置用の焼網との間をアームで連結して扉の開閉に連動して焼網が摺動する構成とし、扉を開くと焼網がアームで引っ張られてオーブン庫内から開口部の前方まで引き出されるようにしたものが提供されている（例えば、特許文献１参照）。
【０００３】
特に、本体部の開口部の横幅を大きく確保するために、温調用やタイマ用のノブを設けた操作パネルを扉の取付位置の下部に設けた構成のものでは、製品規格上、扉を嵩高にできない制約が生じるが、その場合でも、アームを設けることにより焼網をオーブン庫内から開口部の前方まで引き出すことができる利点がある。
【０００４】
【特許文献１】実開昭５４−６７０６２号公報
【発明の開示】
【発明が解決しようとする課題】
【０００５】
ところで、本体部のオーブン庫内に対面する扉の内側は調理物からの油性分の飛散等によって汚れ易く、扉に設けられているガラス窓の内側が汚れるとオーブン庫内の調理状況が分かりずらくなる。また、汚れたままでは不潔でもあるので、扉を取り外して清潔さを保つことが要望される。
【０００６】
しかし、扉と焼網との間をアームで連結した構成を有する従来のオーブントースタは、アームが扉にかしめ止めされるなどして扉を自由に着脱できるようにしたものがなく、扉の内側が汚れたときにこれを取り外して洗浄するなどの手入れをすることが困難で、清潔さを保つ上で不便であった。
【０００７】
本発明は、上記の課題を解決するためになされたもので、扉と焼網との間をアームで連結した構成の利点を確保しつつ、扉を容易に着脱できるようにして、扉の手入れが簡単で常に清潔さを保つことができるオーブントースタを提供することを目的とする。
【課題を解決するための手段】
【０００８】
上記の目的を達成するために、本発明は、オーブン庫内にヒータが配置された本体部には、その前面側に前記オーブン庫に対する調理物の出入用の開口部を開閉する扉が開閉自在に取り付けられるとともに、この扉の取付位置の下部に操作パネルが設けられ、また、前記オーブン庫内には焼網が配置され、この焼網は前記オーブン庫を構成する本体パネルの左右の対向部にそれぞれ形成されたガイド用長孔に沿って摺動可能に設けられ、この焼網と前記扉とが左右一対のアームを介して連結されているオーブントースタにおいて、次の構成を採用している。
【０００９】
すなわち、請求項１記載に係る発明では、前記扉の左右の各端部には、前記各アームの扉側の前端部に形成された掛止孔に着脱可能に掛止されるフック部が設けられ、また、前記扉の開閉中心側の下端部にヒンジ片が設けられ、このヒンジ片に係止部が形成される一方、前記本体部の開口部に近接した位置には前記本体パネルの左右の対向部間にわたって扉開閉軸が回動自在かつ軸方向に摺動可能に架設され、この扉開閉軸には前記ヒンジ片の係止部に着脱される差込金具が固定されていることを特徴としている。
【００１０】
請求項２記載に係る発明では、請求項１記載の発明の構成において、前記ヒンジ片は、前記扉を構成する前板と後板とを一体的に接合して構成されていることを特徴としている。
【００１１】
請求項３記載に係る発明では、請求項１または請求項２記載の発明の構成において、前記差込金具を前記ヒンジ片の係止部への差込方向に付勢するバネを有し、また、前記扉開閉軸には操作レバーが固定される一方、前記扉開閉軸に並行して前記本体パネルの左右の対向部間わたって横渡板が架設され、この横渡板には前記操作レバーを係止して前記バネの付勢力に抗して前記差込金具を前記ヒンジ片の係止部から離脱した状態に保持する係止部が形成されていることを特徴としている。
【００１２】
請求項４記載に係る発明では、請求項１ないし請求項３のいずれか１項に記載の発明の構成において、前記各アームの前方側の端部は、前記本体パネルの左右の対向部の各前面に形成された挿通孔に挿通されるとともに、前記掛止孔の形成箇所よりも前方側の箇所には、前記挿通孔の周辺で堰止められる堰止部が形成されていることを特徴としている。
【発明の効果】
【００１３】
請求項１記載の発明によれば、基本的には扉と焼網とがアームで連結された構成なので、焼網をオーブン庫内から開口部の前方まで十分に引き出すことができるという利点を確保することができる。しかも、本体部およびアームに対して扉を容易に着脱できるので、扉の手入れが簡単で、常に清潔さを保つことができるオーブントースタを提供することが可能となる。
【００１４】
請求項２記載の発明によれば、請求項１記載の発明の効果に加えて、扉の開閉中心側の下端部に設けたヒンジ片は、扉を構成する前
板と後板とを一体的に接合して構成されているので強度が増加する。このため、扉の開閉や着脱が繰り返された場合でもヒンジ片が破損するなどの恐れがなく、長期使用に耐えることができる。
【００１５】
請求項３記載の発明によれば、請求項１または請求項２記載の発明の効果に加えて、横渡板の係止部に操作レバーを係止すれば、バネの付勢力に抗して扉開閉軸に設けた差込金具が扉のヒンジ片の係止部から離脱した状態に保持される。このため、扉を本体部から取り外す作業を両手で行うことができ、扉の取り外し作業が容易になる。また、逆に、扉を開口部に対面させた状態で、操作レバーが横渡板の係止部に係止された状態を解除すると、バネの付勢力により差込金具がヒンジ片の係止部に差し込まれて扉が本体部に自動的に連結されるので、扉の本体部への接続作業を容易に行える。
【００１６】
請求項４記載の発明によれば、請求項１ないし請求項３のいずれか記載の発明の効果に加えて、扉を取り外した際に、アームの先端部の堰止部が本体パネルの左右の各対向部に形成された挿通孔の周辺で堰止められてアームが本体部の内部に不意に入り込んでしまうのを防ぐことができる。このため、扉の洗浄後は扉のフック部を簡単にアームの掛止孔に嵌着して扉とアームとを接続することができる。
【発明を実施するための最良の形態】
【００１７】
図１は本発明の実施の形態におけるオーブントースタの外装ケースを除いた全体を示す側面図、図２は同オーブントースタの外装ケースおよび扉を除いた本体部の全体を示す斜視図である。
【００１８】
この実施の形態のオーブントースタは、本体部１を備え、この本体部１は上下左右および後端部を囲む本体パネル２によってその内部にオーブン庫３が形成されている。そして、このオーブン庫３の内部には、焼網４が配置されるとともに、この焼網４を挟む上下には本体パネル２の左右の対向部間にわたる複数本（本例では３本）の石英管ヒータ５が設けられている。なお、６は石英管ヒータ５への通電保持用の碍子である。
【００１９】
また、この本体部１の前面側にはオーブン庫３に対する調理物の出入用の開口部７が設けられるとともに、この開口部７を開閉する扉８が開閉自在に取り付けられている。また、本体部１の扉８の取付位置の下部には操作パネル９が設けられている。そして、この操作パネル９には温調用ノブ１０やタイマ用ノブ１１が取り付けられている。
【００２０】
上記の扉８は、図３（ａ），（ｂ）に示すように、その中央部にガラス窓１５が設けられ、このガラス窓１５よりも上部には扉開閉用の把手１６が取り付けられている。また、扉８のガラス窓１５よりも外側の左右の各端部には後述するアーム２７の先端に掛止される突起１７ａを有するフック部１７が設けられ、また、扉８の開閉中心側の下端部には左右一対のヒンジ片１８が突設され、各ヒンジ片１８には一部を横方向に切り欠いて係止部１８ａが形成されている。
【００２１】
なお、この実施の形態において、各ヒンジ片１８は、扉８を構成する前板８ａと後板８ｂとを一体的に接合して構成することで強度を高めている。このため、扉８の開閉や着脱が繰り返された場合でも各ヒンジ片１８は破損するなどの恐れがなく、長期使用に耐えることができる。しかし、前板８ａのみか後板８ｂのみで各ヒンジ片１８を形成することも可能である。
【００２２】
一方、本体部１のオーブン庫３内に配置されている焼網４は、枠体２０とこの枠体２０の上に載置される網体２１とからなり、枠体２０の左右にはそれぞれ前後一対のガイドピン２２，２３が外方に向けて突設されている。そして、これらのガイドピン２２，２３は、本体パネル２の左右の対向部にそれぞれ形成されたガイド用長孔２４に挿着されており、これにより焼網４の枠体２０がガイド用長孔２４に沿って摺動可能に設けられている。
【００２３】
また、後方側の左右のガイドピン２２のガイド用長孔２４からの突出箇所には引張バネ２６の一端が掛止され、各引張バネ２６の他端は本体パネル２に取り付けられている。これにより、焼網４の枠体２０がオーブン庫３の奥側に向けて付勢されている。さらに、前方側の左右のガイドピン２３のガイド用長孔２４からの突出箇所には、略くの字形をしたアーム２７の後端部がそれぞれ取り付けられている。
【００２４】
そして、アーム２７の前端部には、図４に示すように、扉８の左右に設けられた前述のフック部１７の突起１７ａを着脱可能に掛止する大小の穴がつながったダルマ形の掛止孔２８が形成されている。この場合、掛止孔２８の大穴部２８ａはフック部１７の突起１７ａの挿入が可能で、小穴部２８ｂはフック部１７の突起１７ａの抜け出しを阻止するように形成されている。また、アーム２７の掛止孔２８よりも前方の先端部にはＬ字形に屈曲された堰止部２９が形成されている。そして、各アーム２７の前端部は、本体パネル２の左右の対向部の前面のフランジ部にそれぞれ形成された挿通孔３１に挿通されており、上記の堰止部２９はこの挿通孔３１よりも前方側に位置している。
【００２５】
したがって、アーム２７の前方側の掛止孔２８に扉８のフック部１７を掛止することにより、扉８と焼網４の枠体２０とが左右一対のアーム２７を介して連結される。また、扉８を取り外した場合でも、アーム２７の先端の堰止部２９が本体パネル２の挿通孔３１の周辺で堰止められるため、アーム２７が本体部１の内部に不意に入り込んでしまうのが阻止される。
【００２６】
なお、この実施の形態では、アーム２７の前端部をＬ字形に屈曲して堰止部２９を形成しているが、これに限らず、堰止部２９はアーム２７の前端部から膨出した形状にして挿通孔３１の周辺で堰止められるようにしてもよい。
【００２７】
また、図４ないし図７に示すように、本体部１の開口部７に近接した位置には本体パネル２の左右の対向部間にわたって扉開閉軸３２が回動自在かつ軸方向に摺動可能に架設されている。そして、この扉開閉軸３２には、軸方向に沿う左右に扉８のヒンジ片１８の係止部１８ａに対して着脱される差込金具３３が、また、この左右の差込金具３３で挟まれた中間位置には操作レバー３４がそれぞれ固定されている。差込金具３３は、扉開閉軸３２の取付部から円弧状の差込片３３ａが突出形成されて構成されている。さらに、この扉開閉軸３２の前方から見て右側の差込金具３３と本体パネル２との間の箇所には、差込金具３３をヒンジ片１８の係止部１８ａへ差込む方向に付勢する圧縮バネ３５がはめ込まれている。
【００２８】
さらに、この扉開閉軸３２に並行して本体パネル２の左右の対向部間わたって前述の操作パネル９の取付用の横渡板３６が架設され、この横渡板３６には、操作レバー３４を係止して圧縮バネ３５の付勢力に抗して差込金具３３をヒンジ片１８の係止部１８ａから離脱した状態に保持する係止部としてのＬ字状に切り欠いた係止穴３７が形成されている。そして、この係止孔３７に上記の操作レバー３４の操作ピン３４ａが挿入されている。
【００２９】
上記構成のオーブントースタにおける扉８の着脱動作について説明する。
扉８を本体部１から取り外す際には、まず、扉８を略開いた状態でアーム２７の先端部の掛止孔２８の大穴部２８ａに扉８のフック部１７の突起１７ａを位置させた状態でアーム２７を撓ませてフック部１７を掛止孔２８から離脱させる。このとき、アーム２７は焼網４とともに引張バネ２６のバネ力によって本体部１の奥側に引っ張り込まれようとするが、アーム２７の先端の堰止部２９が本体パネル２の挿通孔３１の周辺で堰止められるため、アーム２７が本体部１の内部まで入り込んでしまうのが阻止される。
【００３０】
次に、操作レバー３４を操作して扉開閉軸３２を軸方向に沿って移動させて操作レバー３４の操作ピン３４ａを横渡板３６に形成された係止穴３７に係止する。すると、圧縮バネ３５の付勢力に抗して差込金具３３の差込片３３ａがヒンジ片１８の係止部１８ａから離脱した状態に保持されるので、扉８を本体部１から取り外すことができる。
【００３１】
一方、扉８を洗浄するなどの手入れをした後に、この扉８を本体部１に取り付ける際には、扉８のヒンジ片１８の係止部１８ａを差込金具３３の差込片３３ａの側面と対向するように位置させ、この状態で操作レバー３４の横渡板３６の係止穴３７への係止を解除する。すると、圧縮バネ３５のバネ力より差込金具３３の差込片３３ａがヒンジ片１８の係止部１８ａに差し込まれて扉８が本体部１に自動的に連結される。
【００３２】
続いて、左右の各アーム２７を手前側に引き出してアーム２７の先端部の掛止孔２８の大穴部２８ａに扉８のフック部１７の突起１７ａを位置させた状態でアーム２７を撓ませてフック部１７を掛止孔２８に挿入しさらに、フック部１７の突起１７ａを掛止孔２８の小穴部２８ｂに嵌合してアーム２７から外れないようにする。これにより、扉８が本体部１に開閉自在に連結されるとともに、アーム２７にも連結される。このように、扉８を手入れした後は、扉８を本体部１とアーム２７に簡単に接続することができる。
【００３３】
なお、扉８を本体部１に取り付けた状態で扉８を開くと、これに連動して扉８に連結されたアーム２７により焼網４が引張バネ２６のバネ力に抗して手前側に向けて引っ張られてオーブン庫３内から開口部７の前方まで引き出されることになる。
【００３４】
以上のように、この実施の形態のオーブントースタは、基本的には扉８と焼網４とがアーム２７で連結された構成なので、焼網４をオーブン庫３内から開口部７の前方まで引き出すことができるという利点を確保しながら、本体部１およびアーム２７に対して扉８を容易に着脱できるので、扉８の手入れが簡単で、常に清潔さを保つことができる。
【図面の簡単な説明】
【００３５】
【図１】本発明の実施の形態におけるオーブントースタの外装ケースを除いた全体を示す側面図である。
【図２】同オーブントースタの外装ケースおよび扉を除いた本体部の全体を示す斜視図である。
【図３】同オーブントースタの扉を示す斜視図で、同図（ａ）は扉の前面側、同図（ｂ）は扉の背面側をそれぞれ示している。
【図４】扉と焼網の枠体とがアームで連結される状態を示す分解斜視図である。
【図５】同オーブントースタの本体部を前面側から見た正面図である。
【図６】扉開閉軸に対する差込金具、操作レバーおよび圧縮バネの取り付け状態を示す斜視図である。
【図７】扉のヒンジ部が差込金具を介して扉開閉軸に取り付けられた状態を示す側面断面図である。
【符号の説明】
【００３６】
１    本体部
２    本体パネル
３    オーブン庫
４    焼網
７    開口部
８    扉
８ａ  前板
８ｂ  後板
９    操作パネル
１７    フック部
１８    ヒンジ片
１８ａ  係止部
２４    ガイド用長穴
２７    アーム
２８    掛止孔
２９    堰止部
３１    挿通孔
３２    扉開閉軸
３３    差込金具
３４    操作レバー
３５    圧縮バネ
３６    横渡板
３７    係止穴（係止部）
【図１】
2008267659.tif 000003
【図２】
2008267659.tif 000004
【図３】
2008267659.tif 000005
【図４】
2008267659.tif 000006
【図５】
2008267659.tif 000007
【図６】
2008267659.tif 000008
【図７】
2008267659.tif 000009